(57)【要約】【課題】  見栄えが良く、しかも操作が容易な引戸の引手を提供する。【解決手段】  引戸の戸先框１の、戸枠３と接合する面とは反対側の取付面４に、横断面が略Ｌ字形で縦長の手掛け部材９を、その一方の平板部１１の側端縁付近を通る鉛直な回動軸１２の回りを回動可能に支承すると共に、クリック装置１７により、他方の平板部１３が障子１４に垂直な角度位置と、障子１４に平行で取付面４に垂直な角度位置をとることができるように規制する。【選択図】  図１
2008025154.tif 000002
【特許請求の範囲】
【請求項１】
引戸の戸先框の、戸枠と接合する面とは反対側の取付面に、横断面が略Ｌ字形で縦長の手掛け部材を、その一方の平板部の側端縁付近を通る鉛直な回動軸の回りを回動可能に支承すると共に、クリック装置により、他方の平板部が障子に垂直な角度位置と、障子に平行で取付面に垂直な角度位置をとることができるように規制したことを特徴とする引戸の引手。
【発明の詳細な説明】
【技術分野】
【０００１】
この発明は、引戸の引手（以下単に引手という）に係り、特に、見栄えが良く、操作が容易な引手に関する。
【背景技術】
【０００２】
例えば日本家屋の襖等の引手は、通常、円形の浅い凹陥部を形成した金具である。
【０００３】
また、後記特許文献１に記載された引手は、例えば縦長の浅い凹陥部に引戸錠の施解錠操作を行う摘みを上下方向に案内したものである。
【特許文献１】特願２００４−２４５８１８
【発明の開示】
【発明が解決しようとする課題】
【０００４】
上記した従来の引手は、要するに浅い凹陥部に手指を掛けるものであるから、手指が引戸から外れ易い。
【０００５】
また、何時も室内外に引手であることを隠さずに存在しているので、見慣れているとは言っても、必ずしも見栄えの良いものではない。
【０００６】
そこで、この発明は、見栄えが良く、しかも操作が容易な引手を提供することを目的としている。
【課題を解決するための手段】
【０００７】
上記の目的を達成するため、請求項１に記載された発明は、引戸の戸先框の、戸枠と接合する面とは反対側の取付面に、横断面が略Ｌ字形で縦長の手掛け部材を、その一方の平板部の側端縁付近を通る鉛直な回動軸の回りを回動可能に支承すると共に、クリック装置により、他方の平板部が障子に垂直な角度位置と、障子に平行で取付面に垂直な角度位置をとることができるように規制したことを特徴とする。
【発明の効果】
【０００８】
上記のように構成された請求項１に記載の発明による引手は、他方の平板部が障子に垂直な角度位置にあるときこの他方の平板部が手指が掛かる部材となり、この他方の平板部の幅は自由に設計することができるから、手掛かり部が大きくなって引戸の開閉操作が容易になる。
【０００９】
また、他方の平板部が障子に垂直な角度位置にあるときには、室内側からは他方の平板部が正面に見えて他の部材は見えないから、見栄えが良い。
【００１０】
更にまた、構造が簡単である、等種々の効果を奏する。
【発明を実施するための最良の形態】
【００１１】
断面略Ｌ字形の縦長の手掛け部材を、その一方の平板部の側端縁付近を通る鉛直な回動軸の回りを回動可能に支承すると共に、クリック装置により、他方の平板部が障子に垂直な角度位置と、障子に平行で取付面に垂直な角度位置をとることができるように規制したから、手掛けとなる他方の平板部を起こしたり取付面に垂直になるようにしたので、見栄えが良く、しかも操作性が良い引手を構成できた。
【実施例１】
【００１２】
以下、この発明の一実施例を図面を参照して説明する。
なお、この実施例は、戸先框を室内側に突出させて、この突出部にカマ錠を装着した引戸に本発明を適用したものである。
【００１３】
図１及び図４において符号１は引戸の戸先框を示し、この戸先框１は室内側（図１で左側）に少し突出し、この突出部分にカマ錠２を装着してある（図１、図２及び図４参照）。
【００１４】
また、戸先框の上記突出部分の戸枠３（図４参照）とは反対側の面は取付面４（図１、図２及び図４参照）となっており、この取付面４の一部に上記カマ錠２の室内側の操作部５が装着されている。
【００１５】
図示の実施例における操作部５は、例えば、取付面４の上下方向におけるほぼ中央に装着された縦長の深溝付のブロック体で、その深溝の底面部において上下方向に移動可能に案内された施解錠摘み６を備えている。
【００１６】
そして、この施解錠摘み６を例えば上方に押し上げることにより、図４に示すように、カマ錠２からカマ７を戸枠３側に振り出し、戸枠に装着されたストライク８に係止させて引戸を戸枠３に錠止する（図１参照）。
【００１７】
図示の実施例では、本発明による引手は上記操作部５の下方に装着されている。
すなわち、図１及び図２に示すように、この引手は横断面形状が略Ｌ字形の手掛け部材９を備え、この手掛け部材９の一方の平板部１１の側端縁付近を、鉛直な回動軸１２、１２の回りを回動可能に支承されている。
【００１８】
上記一方の平板部１１に一体に、かつ直角に接続されている他方の平板部１３の幅は、図１に示すように、一方の平板部１１が障子に対し垂直な関係角度をとるとき、他方の平板部１３の自由側端縁が取付面４に当接するように設定されている。
【００１９】
なお、上記回動軸１２は、図２に示すように、夫々一方の平板部の側端縁付近に形成された付番しない軸穴及び軸受部１５に形成されたこれも付番しない軸穴の接合面を跨るように配設され、軸ばね１６の弾力により軸受部１５方向に付勢されて、回動軸１２が軸受部１５の軸穴から抜け出ないように抜け止めが施されている。
【００２０】
また、図１に示すように、手掛け部材９は、クリック装置１７により、他方の平板部１３が障子１４に垂直な角度位置と、障子に平行で取付面４に垂直な角度位置をとることができるように規制されている。
【００２１】
上記のように構成されたこの発明の一実施例による引手は、図１に実線で示すように他方の平板部１３が障子１４に対し平行な角度位置をとるときには、手掛け部材９がクリック装置１７を内側に抱持する態様でその外側だけを室内側に見せることになるので、あたかも前記操作部５の下方に例えば同じ幅のブロック体が接続されたように見え、見栄えが良いことは前記し通りである（す３参照）。
【００２２】
一方、図１に鎖線で示すように、或いは図２で手掛け部材の上半分で示すように、手掛け部材９が開き他方の平板部１３が障子に対し垂直な角度位置をとるときには、他方の平板部１３が引戸を開閉するための手掛けとなり、この他方の平板部１３の幅は自由に設定でき大きくすることかできるので、引戸の開閉操作が容易になることも前記した通りである。
【実施例２】
【００２３】
図示の実施例では、戸先框１を室内側に突出させ、この突出部にカマ錠を装着すると共に、この突出部に取付面４を設けるものとしたが、戸先框に突出部を形成しない場合でも、戸先框の戸枠と接合する面とは反対側の面を室内側に延長させることは可能であり、この延長部を取付面とすれば、戸先框に突出部を設けない引戸にもこの発明を適用できる（図示せず）。
【図面の簡単な説明】
【００２４】
【図１】この発明の一実施例による引手を装着した引戸の水平面による一部断面図。
【図２】この発明の一実施例による引手を装着した戸先框の側面図。
【図３】この発明の一実施例による引手を装着した戸先框の背面図。
【図４】カマ錠とストライクとの作用を説明するための戸先框の側面図。
【符号の説明】
【００２５】
１  戸先框
２  カマ錠
３  戸枠
４  取付面
５  操作部
６  施解錠摘み
７  カマ
８  ストライク
９  手掛け部材
１１  一方の平板部
１２  回動軸
１３  他方の平板部
１４  障子
１５  軸受部
１６  軸ばね
１７  クリック装置
【図１】
2008025154.tif 000003
【図２】
2008025154.tif 000004
【図３】
2008025154.tif 000005
【図４】
2008025154.tif 000006